(57)【要約】      （修正有）【課題】故人やペットの遺骨を分骨して、家の任意の場所に安置して祀ることにより、日常的に故人やペットを偲ぶことができる卓上骨納器を提供する。【解決手段】卓上骨納器１は、基台３と、基台３の上に立設されてなる装飾体５と、基台３と装飾体５とを締め付けて固定するための逆Ｕ字状の上部アーチ形締め付け部材７と、からなり、基台３の上面の略中央部に凹部１１が形成されてなり、装飾体５の前面側に時計１３が嵌め込まれてなり、装飾体５の後面側に故人やペットの俗名、若しくは戒名が記録されてなるプレート１５が貼り付けられてなる。【選択図】図１
0003215286.tif 000002
【実用新案登録請求の範囲】
【請求項１】
故人やペットの遺骨を分骨して収納及び安置することにより、日常的に前記故人やペットを偲ぶことができる卓上骨納器であって、
基台と、
前記基台の上に立設されてなる装飾体と、からなり、
前記基台の上面の略中央部に凹部が形成されてなり、
前記装飾体の前面側に時計等の装飾物が設けられてなり、
前記装飾体の後面側に前記故人やペットの俗名、若しくは戒名が記録され、
前記基台の上に前記装飾体を立設することにより、前記凹部と前記装飾体の底面とで前記遺骨を収納するための収納スペースが形成されてなり、
前記基台の上に前記装飾体を立設し固定することにより、前記基台と前記装飾体とによって前記収納スペースを密閉することができる、
ことを特徴とする卓上骨納器。
【請求項２】
故人やペットの遺骨を分骨して収納及び安置することにより、日常的に前記故人やペットを偲ぶことができる卓上骨納器であって、
基台と、
前記基台の上に立設されてなる装飾体と、
前記基台と前記装飾体とを締め付けて固定するための逆Ｕ字状の上部アーチ形締め付け部材と、からなり、
前記基台の上面の略中央部に凹部が形成されてなり、
前記装飾体の前面側に時計が嵌め込まれてなり、
前記装飾体の後面側に前記故人やペットの俗名、若しくは戒名が記録されてなるプレートが貼り付けられてなり、
前記装飾体の正面視左右両側部に前記上部アーチ形締め付け部材の棒部分を挿通するための２つの第１の孔が垂直に設けられてなり、
前記基台の前記凹部に掛からない位置で、かつ、前記第１の孔と一致する位置に２つの第２の孔が垂直に設けられてなり、
前記基台の上に前記装飾体を立設することにより、前記凹部と前記装飾体の底面とで前記遺骨を収納するための収納スペースが形成されてなり、
前記基台の上に、前記凹部の周縁の溝に挿嵌したパッキンを介して前記装飾体を立設し、前記上部アーチ形締め付け部材の前記棒部分を前記第１の孔及び前記第２の孔に挿通して、前記基台の下面側から前記上部アーチ形締め付け部材のねじ部分に固定用ねじを螺合することにより、前記基台と前記装飾体とを締め付けて前記収納スペースを密閉することができると共に、前記上部アーチ形締め付け部材のアーチ部分が前記装飾体の上面から露出されてなる、
ことを特徴とする卓上骨納器。
【請求項３】
前記凹部が複数個形成されてなる、
ことを特徴とする請求項１又は２に記載の卓上骨納器。
【考案の詳細な説明】
【技術分野】
【０００１】
本考案は、故人やペットの遺骨を分骨して、家の任意の場所にさりげなく安置して祀ることにより、日常的に前記故人やペットを偲ぶことができる卓上骨納器に関する。
【背景技術】
【０００２】
近年、核家族化に伴って、最近親者等であった者が前記故人やペットの遺骨を分骨して身近で納骨及び慰霊するケースが増えている。そこで、納骨及び慰霊が簡便にできるようにするために、遺骨の保管が衛生的で、かつ日常生活的にも慰霊が違和感なく行えることが望まれている。
【０００３】
そのような背景の中で、それぞれの家庭が自身の身近で前記故人やペットのお骨を長期に亘って大切に保管することができるお墓型の納骨器具が提案されている（特許文献１参照）。
【０００４】
特許文献１に開示されている納骨器具は、従来のお墓の形状を模して、棹石、台石等からなる墓碑部と、内部を刳り抜いて分骨したお骨を収納できる納骨スペースを形成した納骨部と、からなり、前記墓碑部及び前記納骨部はそれぞれ加工した石材を接着剤によって一体化して形成されて、その重量は大人が１人で持ち運べることを限度としたもので、家の中の任意の場所に設置して故人を日常的に偲ぶことが可能な小型化されたお墓型納骨器具である。
【先行技術文献】
【特許文献】
【０００５】
【特許文献１】特開２０００−２３４４５５号公報
【考案の概要】
【考案が解決しようとする課題】
【０００６】
しかし、従来のお墓型納骨器具は、お墓の形状を模しているために、仏壇の置き場所の観点からみて、家の中に置く場合でも人目を避けるような特定の場所に限定されることになり、元々のコンセプトである家の中の任意の場所にさりげなく設置して日常的に故人やペットを偲ぶということがやり難くなるという課題があった。
【０００７】
また、転居に際してもお墓の形状を模しているために、引越し時のトラック搬送等における持ち運びにコスト及び労力が多く掛かるという課題があった。
【課題を解決するための手段】
【０００８】
そこで、前記課題を解決するための手段として第１の卓上骨納器は、故人やペットの遺骨を分骨して収納及び安置することにより、日常的に前記故人やペットを偲ぶことができる卓上骨納器であって、基台と、前記基台の上に立設されてなる装飾体と、からなり、前記基台の上面の略中央部に凹部が形成されてなり、前記装飾体の前面側に時計等の装飾物が設けられてなり、前記装飾体の後面側に前記故人やペットの俗名、若しくは戒名が記録され、前記基台の上に前記装飾体を立設することにより、前記凹部と前記装飾体の底面とで前記遺骨を収納するための収納スペースが形成されてなり、前記基台の上に前記装飾体を立設し固定することにより、前記基台と前記装飾体とによって前記収納スペースを密閉することができる、ことを特徴としている。
【０００９】
前記装飾物は、正面から日常的に視認して利用する物が好ましく、より好ましくは、置時計、鳩時計、からくり時計等の時計が適用されることとしても良い。
【００１０】
また、前記課題を解決するためのより具体的な手段として第２の卓上骨納器は、故人やペットの遺骨を分骨して収納及び安置することにより、日常的に前記故人やペットを偲ぶことができる卓上骨納器であって、基台と、前記基台の上に立設されてなる装飾体と、前記基台と前記装飾体とを締め付けて固定するための逆Ｕ字状の上部アーチ形締め付け部材と、からなり、前記基台の上面の略中央部に凹部が形成されてなり、前記装飾体の前面側に時計が嵌め込まれてなり、前記装飾体の後面側に前記故人やペットの俗名、若しくは戒名が記録されてなるプレートが貼り付けられてなり、前記装飾体の正面視左右両側部に前記上部アーチ形締め付け部材の棒部分を挿通するための２つの第１の孔が垂直に設けられてなり、前記基台の前記凹部に掛からない位置で、かつ、前記第１の孔と一致する位置に２つの第２の孔が垂直に設けられてなり、前記基台の上に前記装飾体を立設することにより、前記凹部と前記装飾体の底面とで前記遺骨を収納するための収納スペースが形成されてなり、前記基台の上に、前記凹部の周縁の溝に挿嵌したパッキンを介して前記装飾体を立設し、前記上部アーチ形締め付け部材の前記棒部分を前記第１の孔及び前記第２の孔に挿通して、前記基台の下面側から前記上部アーチ形締め付け部材のねじ部分に固定用ねじを螺合することにより、前記基台と前記装飾体とを締め付けて前記収納スペースを密閉することができると共に、前記上部アーチ形締め付け部材のアーチ部分が前記装飾体の上面から露出されてなる、ことを特徴としている。
【００１１】
前記基台は、前記卓上骨納器の土台部分として、小形の略矩形、若しくは楕円形の厚板で安定感があって、しかも高級感のある無垢材が好ましく、前記基台の略中央部を刳り抜いて前記凹部が形成されても良い。なお、樹脂金型により前記凹部を形成する樹脂成型品で代用しても良い。
【００１２】
前記凹部の大きさは、分骨のために小スペースでも好ましく、その周縁に、前記故人やペットの遺骨を保管する前記収納スペースの気密性を向上するための前記パッキンを挿嵌する溝が設けられてなることが好ましい。
【００１３】
前記装飾体は、略矩形の厚板で、高級感のある無垢材が好ましい。なお、樹脂成型品で代用しても良い。
【００１４】
前記装飾体の前面側の略中央部には、ソーラー式の電波時計が着脱可能に嵌め込まれてなることが好ましく、前記電波時計の周辺には、花やデザインされた装飾が施されても良い。そのことにより、見た目にも美しいために、骨納器と知らない人が見ても高級な時計が飾られているように目に映ることになり、前記卓上骨納器の置き場所に困ることがなくなる。
【００１５】
前記第１の孔の内径は、前記上部アーチ形締め付け部材の前記棒部分の外径よりも少し大きく、かつ前記左右両側部の２つの孔の間隔は、前記凹部の幅を跨ぐ程度が好ましい。
【００１６】
前記第２の孔の内径は、前記第１の孔と同一内径であり、前記基台の下面側に座繰り加工が施されてなることが好ましく、そのことにより、前記固定用ねじを締め付けた状態で前記固定用ねじの頭部を前記基台の下面から出っ張らないようにすることができる。
【００１７】
前記上部アーチ形締め付け部材は、金属の棒状体を逆Ｕ字状に曲げ加工及びメッキ加工を施されてなることが好ましく、直線部分から湾曲部分に変わる部分から上の前記アーチ部分が前記装飾体の上面から露出されてなることが好ましい。そのことにより、前記卓上骨納器としての外観上の装飾効果を向上することができる。
【００１８】
前記上部アーチ形締め付け部材の前記棒部分の先端部には、ねじ加工が施されてなることが好ましい。前記基台の上に前記装飾体を立設すると共に、前記上部アーチ形締め付け部材を前記第１の孔及び前記第２の孔に挿通して、前記基台の下面側から前記上部アーチ形締め付け部材のねじ部分に固定用ねじを螺合することができる。そのことにより、前記基台と前記装飾体とを締め付けて固定することができ、前記故人やペットの遺骨を保管するための前記収納スペースを形成すると共に、かつ密閉することができる。
【００１９】
また、前記課題を解決するためのより具体的な手段として第３の卓上骨納器は、第１の卓上骨納器又は第２の卓上骨納器に前記凹部が複数個形成されてなる、ことを特徴としている。
【００２０】
前記凹部は、前記基台の上面の略中央部の前後方向、或いは左右方向に複数個形成されてなることが好ましい。そのことにより、複数の故人の遺骨を分骨して収納及び安置して、日常的に前記複数の故人を偲ぶことができる。
【考案の効果】
【００２１】
本考案によれば、正面から日常的に視認して利用することができ、小型軽量で、しかも遺骨を密閉して長期に保管できるために衛生的であり、かつ日常生活的にも違和感がなく慰霊を行えることにより、従来の課題を解消することができると共に、設置場所も限定する必要がなく、さらに管理及び移動も簡易であり、見た目にも美しい卓上骨納器を提供することができる。
【図面の簡単な説明】
【００２２】
【図１】本考案の第一の実施例を示し、卓上骨納器１の正面図である。
【図２】本考案の第一の実施例を示し、卓上骨納器１の背面図である。
【図３】本考案の第一の実施例を示し、卓上骨納器１の平面図である。
【図４】本考案の第一の実施例を示し、卓上骨納器１の底面図である。
【図５】本考案の第一の実施例を示し、卓上骨納器１の右側面図である。
【図６】図１のＡ−Ａ断面図である。
【図７】本考案の第二の実施例を示し、基台３の上面の略中央部の前後方向に凹部１１が２個形成されてなる卓上骨納器１００の右側面図である。
【考案を実施するための形態】
【００２３】
以下、本考案に係る実施の形態を図１乃至図７を参照しながら詳しく説明する。なお、本明細書及び図面において、実質的に同一の機能構成を有する構成要素については、同一の符号を付することにより重複説明を省略する。
【００２４】
図１乃至図６に示すように、本考案の第一の実施例の卓上骨納器１は、高級木材等の無垢材からなる基台３と、同じく高級木材等の無垢材からなり基台３の上に立設されてなる装飾体５と、金属メッキ加工が施されてなり基台３と装飾体５とを締め付けて固定するための逆Ｕ字状の金属製の上部アーチ形締め付け部材７と、から構成されている。
【００２５】
図６に示すように、基台３の上面の略中央部には、凹部１１が無垢材を刳り抜いて形成されており、基台３の上に装飾体５を立設することにより、凹部１１と装飾体５の底面とで故人やペットの遺骨を保管するための収納スペース９が形成されることになり、収納スペース９には、分骨された遺骨Ｒが保管されている。
【００２６】
凹部１１は、幅約７０ｍｍ、奥行約５０ｍｍ、深さ約５０ｍｍ程度の小スペースで良く、凹部１１の上面の周縁には溝３５が形成され、収納スペース９の気密性を向上するためにパッキンＰが挿嵌されている。
【００２７】
図１に示すように、装飾体５の前面側には時計１３が着脱可能に嵌め込まれており、また、図２に示すように、装飾体５の後面側には故人やペットの俗名、若しくは戒名が記録されてなるプレート１５が接着剤等により貼り付けられている。
【００２８】
図１及び図２に示すように、装飾体５の正面視左右両側部に、上部アーチ形締め付け部材７の外径約１０ｍｍの直線状の棒部分３１，３１を挿通するための内径約１２ｍｍの第１の孔１７，１７が垂直に設けられている。また、基台３の凹部１１に掛からない位置で、かつ、第１の孔１７，１７と一致する位置に上部アーチ形締め付け部材７の棒部分３１，３１を挿通するための内径約１２ｍｍの第２の孔１９，１９が垂直に設けられている。
【００２９】
図１に示すように、基台３の下面側には直径約２０ｍｍ、深さ約７ｍｍの座繰り３９の座繰り加工が施されており、固定用雄ねじＳの頭部が基台３の下面から出っ張らないようになっている。
【００３０】
上部アーチ形締め付け部材７の棒部分３１，３１の直線状の上端には止め金３７，３７が固着されており、この止め金３７，３７が上部アーチ形締め付け部材７の挿通用のストッパーとなっている。また、上部アーチ形締め付け部材７の棒部分３１，３１の下端の先端部には、基台３と装飾体５とを上部アーチ形締め付け部材７で固定するための雌ねじ（図示せず）のねじ加工が施されている。
【００３１】
基台３の上に、凹部１１の周縁の溝３５に挿嵌したパッキンＰを介して装飾体５を立設し、上部アーチ形締め付け部材７の棒部分３１，３１を第１の孔１７、１７及び第２の孔１９、１９に挿通して、基台３の下面側から上部アーチ形締め付け部材７の先端部の雌ねじに座金Ｗ，Ｗを介して固定用雄ねじＳ，Ｓを螺合することにより、基台３と装飾体５とを締め付けて固定すると共に、収納スペース９を密閉することができるので、収納した遺骨Ｒを長期に亘って衛生的に保管することができる。
【００３２】
上部アーチ形締め付け部材７のアーチ部分３３が装飾体５の上面から露出されており、この露出したアーチ部分３３には、金メッキ等のメッキ加工が施されていることにより、美感が大幅に向上している。
【００３３】
図７に示すように、本考案の第二の実施例の卓上骨納器１００は、基台３の上面の略中央部の前後方向に凹部１１が２個形成されている。この場合、基台３と装飾体５の間に押え板Ｂを介して、上記の通り、上部アーチ形締め付け部材７で基台３と装飾体５とを締め付けて固定することにより、２個の収納スペース９を同時に密閉することができるので、複数の故人の遺骨Ｒを分骨して収納及び安置することができる。
【００３４】
卓上骨納器１００の前面側に、慰霊する際に応じて、別に用意した墓誌等を記録した樹脂製プレートを立て掛けて、お墓として機能させることができるので、一般家庭の室内墓として卓上骨納器１００を利用することもできる。
【符号の説明】
【００３５】
１    卓上骨納器
３    基台
５    装飾体
７    上部アーチ形締め付け部材
９    収納スペース
１１    凹部
１３    時計
１５    プレート
１７    第１の孔
１９    第２の孔
３１    棒部分
３３    アーチ部分
３５    溝
３７    止め金
３９    座繰り
１００    卓上骨納器
Ｂ    押え板
Ｐ    パッキン
Ｒ    遺骨
Ｓ    固定用雄ねじ
Ｗ    座金
【図１】
0003215286.tif 000003
【図２】
0003215286.tif 000004
【図３】
0003215286.tif 000005
【図４】
0003215286.tif 000006
【図５】
0003215286.tif 000007
【図６】
0003215286.tif 000008
【図７】
0003215286.tif 000009